【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
前胴回り部と後胴回り部と股下部とのうちの少なくとも前記前胴回り部と前記後胴回り部とを形成していて環状を呈することが可能な胴回り被覆部材と、前記前胴回り部と前記後胴回り部との間に延びていて前記胴回り被覆部材の内面に接合する前端部分と後端部分とを有するとともに体液吸収性の吸収体を含んでいて前記股下部を形成する股下部材とを備えた使い捨てのパンツ型おむつであって、
前記股下部材は、前記前端部分と前記後端部分との間に延びる長さ方向と、前記長さ方向に直交する幅方向とを有し、前記吸収体が少なくとも粉砕パルプと高吸水性ポリマー粒子とを含む吸水性材料の集合体である芯材を透水性のラッピングシートで被覆することにより形成されており、
前記集合体は、前記胴回り被覆部材の前記内面と向かい合う外面の全体が前記ラッピングシートに接合される一方、前記外面の反対面である前記集合体の内面は前記ラッピングシートに対する接合域と非接合域とを有し、前記接合域は前記集合体における前記幅方向の中央部分において前記長さ方向へ延びており、前記非接合域は、前記幅方向において前記接合域の両側に位置しており、
前記ラッピングシートは、前記集合体の前記外面を被覆している前記ラッピングシートが前記集合体から前記幅方向へ延出する部分を折り返すことによって前記集合体の前記内面を被覆しているものであって、前記内面における前記中央部分において、折り返した前記ラッピングシートどうしが重なり合い、互いに接合されていることを特徴とする請求項１記載の前記おむつ。
【請求項２】
前記集合体は、平面形状が砂時計型のものであって、前記前端部分と前記後端部分とには前記幅方向の両側に広がる翼部が形成され、前記翼部における前記内面が前記非接合域の一部分を形成している請求項１に記載のおむつ。
【請求項３】
前記吸収体では、前記幅方向において対向して前記長さ方向へ延びていて、前記内面から前記外面に向かって深くなる少なくとも一対の条溝が形成され、前記条溝が前記接合域に位置している請求項１又は２に記載のおむつ。
【手続補正２】
【補正対象書類名】明細書
【補正対象項目名】０００８
【補正方法】変更
【補正の内容】
【０００８】
このおむつにおいて、本発明が特徴とするところは、以下のとおりである。前記股下部材は、前記前端部と前記後端部との間に延びる長さ方向と、前記長さ方向に直交する幅方向とを有し、前記吸収体が少なくとも粉砕パルプと高吸水性ポリマー粒子とを含む吸水性材料の集合体である芯材を透水性のラッピングシートで被覆することにより形成されている。前記集合体は、前記胴回り被覆部材の前記内面と向かい合う外面の全体が前記ラッピングシートに接される一方、前記外面の反対面である前記集合体の内面は前記ラッピングシートに対する接合域と非接合域とを有し、前記接合域は前記集合体における前記幅方向の中央部分において前記長さ方向へ延びており、前記非接合域は、前記幅方向において前記接合域の両側に位置しており、前記ラッピングシートは、前記集合体の前記外面を被覆している前記ラッピングシートが前記集合体から前記幅方向へ延出する部分を折り返すことによって前記集合体の前記内面を被覆しているものであって、前記内面における前記中央部分において、折り返した前記ラッピングシートどうしが重なり合い、互いに接合されている。
【手続補正３】
【補正対象書類名】明細書
【補正対象項目名】００３０
【補正方法】変更
【補正の内容】
【００３０】
図８，９は、実施態様の一例を示す体液吸収部３１の部分破断平面図と、その平面図におけるＩＸ−ＩＸ線断面図である。図示例の体液吸収部３１には、芯材４１とラッピングシート４２とに対して複数の条溝６１が形成されていて、その条溝６１がカバーシート４５によって覆われている。条溝６１は、芯材４１とラッピングシート４２とが芯材４１の内面４１ａから外面４１ｂへ向かう方向へ局部的に圧搾されることで形成されている。条溝６１の底部６１ａでは粉砕パルプ等の吸水性材料が圧縮された状態にあり、底部６１ａにおける芯材４１の密度は条溝６１の周辺域における芯材４１の密度よりも高くなっている。好ましい条溝６１は、ホットメルト接着剤ＨＡを介して芯材４１とラッピングシート４２とが接合している部位において、中心線Ｐに関して対称となるように形成される。また、条溝６１は、胴回り被覆部材１における前胴回り部３と後胴回り部４との間の股下部５において形成されることが好ましい。さらにはまた、条溝６１が一対だけ形成される場合には、その条溝は股下部５の前方部分に形成されていることが好ましい。おむつ１０が男性用のものである場合において、股下部５の前方部分に形成される一対の条溝６１は、それらの間に男性器が納まるようにおむつ１０が着用されると、股下部材２が身体によくフィットして、おむつ１０が着用感のよいものになる。体液吸収部３１におけるカバーシート４５は、粉砕パルプや高吸水性ポリマー粒子等の吸水性材料がラッピングシート４２やラッピングシート４２の破れ目から漏れ出して肌に接触するという問題の発生を防ぐことができる。
【手続補正４】
【補正対象書類名】明細書
【補正対象項目名】００３２
【補正方法】変更
【補正の内容】
【００３２】
前胴回り部と後胴回り部と股下部とのうちの少なくとも前記前胴回り部と前記後胴回り部とを形成していて環状を呈することが可能な胴回り被覆部材と、前記前胴回り部と前記後胴回り部との間に延びていて前記胴回り被覆部材の内面に接合する前端部分と後端部分とを有するとともに体液吸収性の吸収体を含んでいて前記股下部を形成する股下部材とを備えた使い捨てのパンツ型おむつであって、
前記股下部材は、前記前端部分と前記後端部分との間に延びる長さ方向と、前記長さ方向に直交する幅方向とを有し、前記吸収体が少なくとも粉砕パルプと高吸水性ポリマー粒子とを含む吸水性材料の集合体である芯材を透水性のラッピングシートで被覆することにより形成されており、
前記集合体は、前記胴回り被覆部材の前記内面と向かい合う外面の全体が前記ラッピングシートに接合される一方、前記外面の反対面である前記集合体の内面は前記ラッピングシートに対する接合域と非接合域とを有し、前記接合域は前記集合体における前記幅方向の中央部分において前記長さ方向へ延びており、前記非接合域は、前記幅方向において前記接合域の両側に位置しており、
前記ラッピングシートは、前記集合体の前記外面を被覆している前記ラッピングシートが前記集合体から前記幅方向へ延出する部分を折り返すことによって前記集合体の前記内面を被覆しているものであって、前記内面における前記中央部分において、折り返した前記ラッピングシートどうしが重なり合い、互いに接合されている。
【手続補正５】
【補正対象書類名】明細書
【補正対象項目名】００３３
【補正方法】変更
【補正の内容】
【００３３】
上記事項として整理されたこの発明に係る使い捨てのパンツ型おむつは、少なくとも下記の実施形態を含み、その実施形態は、分離または互いに組み合わせて採択することができる。
（１）前記集合体は、平面形状が砂時計型のものであって、前記前端部分と前記後端部分とには前記幅方向の両側に広がる翼部が形成され、前記翼部における前記内面が前記非接合域の一部分を形成している。
（２）前記吸収体では、前記幅方向において対向して前記長さ方向へ延びていて、前記内面から前記外面に向かって深くなる少なくとも一対の条溝が形成され、前記条溝が前記接合域に位置している。
【手続補正６】
【補正対象書類名】明細書
【補正対象項目名】００３４
【補正方法】変更
【補正の内容】
【００３４】
１    胴回り被覆部材
２    股下部材
３    前胴回り部
４    後胴回り部
５    股下部
１０    使い捨てのパンツ型おむつ
２６    前端部分
２７    後端部分
３１    体液吸収部
４１    芯材、集合体
４１ａ  内面
４１ｂ  外面
４２    ラッピングシート
６１    条溝
ＨＡ    ホットメルト接着剤